(57)【特許請求の範囲】
【請求項１】
上面に複数本の弦が張設される胴本体と、この胴本体の上面に配設され前記弦の各端部付近をそれぞれ支持する上駒および下駒と、前記各弦の端部を係止する糸巻装置および弦係止部材とを備え、前記胴本体の上面に手を置きながらピックで演奏する大正琴において、
前記胴本体の上下面に貫通する弦挿通孔を設け、この弦挿通孔に飾り枠を嵌め込み固定し、前記飾り枠の内壁に複数の弦係止部を有する弦係止部材を配設し、前記各弦を前記飾り枠に挿入して前記弦係止部材の各弦係止部に係止したことを特徴とする大正琴。
【請求項２】
上面に複数本の弦が張設される胴本体と、この胴本体の上面に配設され前記弦の各端部付近をそれぞれ支持する上駒および下駒と、前記各弦の端部を係止する糸巻装置および弦係止部材とを備え、前記胴本体の上面に手を置きながらピックで演奏する大正琴において、
前記胴本体の右端部の下面側に凹部を設けるとともに、胴本体の右端部上面に前記凹部に連通する弦挿通孔を設け、この弦挿通孔に飾り枠を嵌め込み固定し、前記飾り枠の内壁および前記凹部の内壁に沿って複数の弦係止部を有する弦係止部材を配設し、前記各弦を前記飾り枠に挿入して前記弦係止部材の各弦係止部に係止したことを特徴とする大正琴。
【発明の詳細な説明】
【０００１】
【発明の属する技術分野】
本発明は大正琴に関し、特に演奏性と外観を向上させるようにした大正琴に関する。
【０００２】
【従来の技術】
従来、一般の大正琴は、胴本体の上面の一端部（左端部）付近に弦の一端を係止する糸巻装置と、弦を支持する上駒を配設し、上面の他端部（右端部）付近に弦の他端を係止する弦係止部材（テールピース）と弦を支持する下駒（ブリッジ）を配設し、上駒と下駒との間の弦部分を有効振動発音部としてＧ音の開放弦に調律し、この有効振動発音部をキーによって押し下げてピック（義甲）で弾弦することにより、所定の音階の音を発音させるように構成されている。
【０００３】
また、弦の一端を係止する弦係止部材を胴本体の右側面に固定した大正琴や、弦の高さを調整するブリッジと、弦を係止するテールピースを胴本体の上面より内部側に設けた弦楽器も知られている（特開平１１−１９４７６１号公報）。
【０００４】
【発明が解決しようとする課題】
しかしながら、上記した従来の大正琴と弦楽器は、いずれも以下に述べるような問題があった。すなわち、大正琴の演奏に際しては、通常右手を胴本体の右端部上面（弦係止部材より右側上面）に置いて右手指をブリッジを超える高さにまで立てて演奏するため、弦係止部材を胴本体上に配設した従来の一般の大正琴においては、弦係止部材を避けて右手を置かなければならず、それだけ右手を置くための自由な場所が制限され、演奏性という点で問題があった。これは、自由な場所が狭いと、右手が弦係止部材に当たって手の自由な動きが阻害されるからである。また、弦係止部材や弦の末端が演奏者の視界に入るため、外観がすっきりしないという問題もあった。
【０００５】
上記特開平１１−１９４７６１号公報に開示された弦楽器は、胴本体の上面からのブリッジの高さを低くすることができるため、右手指を高く立てて演奏する必要がないという利点があるものの、胴本体の上面にブリッジまたはブリッジとテールピースを配置するための凹部を設ける必要があるため、右手を置くための十分な場所を確保することができず、演奏性を十分には向上させることができないという問題があった。また、凹部が視認されるため、外観上好ましくないという問題があった。
【０００６】
本発明は上記した従来の問題を解決するためになされたもので、その目的とするところは、簡単な構造で胴本体の上面に手を置くための十分な場所を確保することができ演奏性を向上させるとともに、弦係止部材が視認されず外観を向上させることができるようにした大正琴を提供することにある。
【０００７】
【課題を解決するための手段】
上記目的を達成するために第１の発明は、上面に複数本の弦が張設される胴本体と、この胴本体の上面に配設され前記弦の各端部付近をそれぞれ支持する上駒および下駒と、前記各弦の端部を係止する糸巻装置および弦係止部材とを備え、前記胴本体の上面に手を置きながらピックで演奏する大正琴において、前記胴本体の上下面に貫通する弦挿通孔を設け、この弦挿通孔に飾り枠を嵌め込み固定し、前記飾り枠の内壁に複数の弦係止部を有する弦係止部材を配設し、前記各弦を前記飾り枠に挿入して前記弦係止部材の各弦係止部に係止したものである。
この発明においては、弦係止部材が飾り枠内に配置されているので、演奏時に右手が弦係止部材に接触したりすることがなく、胴本体の上面で演奏者から見て弦挿通孔より右側部分全体を手を置くための場所として有効に利用することができる。また、弦係止部材や弦の末端が演奏者の視界に入らず、楽器の外観をすっきりさせることができる。
【０００８】
第２の発明は、上面に複数本の弦が張設される胴本体と、この胴本体の上面に配設され前記弦の各端部付近をそれぞれ支持する上駒および下駒と、前記各弦の端部を係止する糸巻装置および弦係止部材とを備え、前記胴本体の上面に手を置きながらピックで演奏する大正琴において、前記胴本体の右端部の下面側に凹部を設けるとともに、胴本体の右端部上面に前記凹部に連通する弦挿通孔を設け、この弦挿通孔に飾り枠を嵌め込み固定し、前記飾り枠の内壁および前記凹部の内壁に沿って複数の弦係止部を有する弦係止部材を配設し、前記各弦を前記飾り枠に挿入して前記弦係止部材の各弦係止部に係止したものである。
この発明においても、上記第１の発明と同様な効果が得られる。
【００１０】
【発明の実施の形態】
以下、本発明を図面に示す実施の形態に基づいて詳細に説明する。
図１は本発明に係る大正琴の一実施の形態を示す平面図、図２は正面図、図３は拡大右側面図、図４は要部の拡大断面図である。本実施の形態は、電磁式ピックアップ装置を備えた電気式大正琴に適用した例を示している。なお、図２においては鍵キーの図示を省略している。
【００１１】
これらの図において、全体を符号１で示す電気式大正琴は、胴本体２と、この胴本体２の上方に張設された４本の弦３と、各弦３を押え音程を決める複数の鍵キー４と、胴本体２の長手方向の中央で後方側端部（演奏者側とは反対側）の上方に配設され前記各鍵キー４の基端部４ａを覆うとともに譜面台として用いられる天板５等を備えている。また、弦３の両端付近３ａ，３ｂを係止する下駒６および上駒７、指板９、各弦３の上駒７側端部が巻付けられる複数個の糸巻装置１０、電磁式ピックアップ装置１１、弦の３の下駒６側端部を係止する弦係止部材１４等を備えている。
【００１２】
前記胴本体２は、木材またはプラスチックによって断面形状が略矩形で左右方向に長い中実の板体に形成されている。また、長手方向中央部の幅が両端部より広く形成され、上面中央に前記指板９が弦３の下方に位置するように接合されている。指板９の上面には、複数本のフレット８が弦３と直交するように指板９の長手方向に所定の間隔をおいて植設されている。さらに、胴本体２の上面で右端部寄りには、下面に貫通する弦挿通孔１３が形成されるとともに、前記下駒６が前記弦挿通孔１３より左側に位置して配設され、この下駒６によって各弦３の一端部３ａを支持し、他端部３ｂを前記上駒７によって支持している。上駒７は、前記指板９の上面左端部に植設されている。
【００１３】
前記弦挿通孔１３には、飾り枠１５が嵌合され、接着剤等によって固定されている。一方、胴本体２の下面側には一端が前記弦挿通孔１３に連通し他端側が前記胴本体２の右側面２ａに開放する凹部１６が形成されており、この凹部１６の内壁面１６ａと前記飾り枠１５の内壁面にかけて前記弦係止部材１４が固定されている。弦係止部材１４は、金属板の折り曲げ加工によって形成され、各弦３を係止する４つの係止部１４Ａを一体に備えている。
【００１４】
前記弦３は、下駒６と上駒７間の弦部分がＧ音の開放弦となるように調律されて前記糸巻装置１０と前記弦係止部材１４間に張設されており、鍵キー４によって押し下げられたとき、当該鍵キー４から下駒６間の弦部分が有効振動発音部となって振動し所定の音階の音を発音する。前記糸巻装置１０は、胴本体２の左端部に配設され、各弦３に所定の張力を付与している。なお、弦３は、一般的に鋼線と細巻線からなる３本の高音弦（第１〜第４弦）３A1〜３A3と、巻線からなる１本の低音弦（第４弦）３A4とで構成され、略同一高さに張設されている。
【００１５】
前記鍵キー４はステンレス等の金属板を打ち抜き加工することによって製作され、指板９の上方に弦３の張設方向と直交するように、かつ前後２列に配設されている。鍵キー４の前端には合成樹脂等によって形成された音階ボタン１８が一体に設けられ、基端部４ａが軸１９によって上下方向に回動自在に軸支されている。音階ボタン１８の表面には、キー番号（図示せず）が印刷によって表示されている。また、鍵キー４は、引張りコイルばねからなる復帰用ばね２０によって上方向への復帰習性が付与されることにより、非演奏時において前記天板５の前端部下面に設けたフェルト等からなる上限ストッパ２２に圧接され係止されている。
【００１６】
前記軸１９は、前記天板５の下面に設けた逆Ｌ字形の支承部材２３によって支承されている。また、この支承部材２３は前記復帰用ばね２０の一端を係止している。演奏時にある任意の鍵キー４の音階ボタン１８を左手指で押圧して当該鍵キー４を復帰用ばね２０に抗して図３において反時計方向に回動させると、当該鍵キー４の下面の長手方向中間部が全ての弦３を押圧し、当該鍵キー４に対応するフレット８の上面に押し付ける。なお、押鍵操作された鍵レバー４の音階ボタン１８から指を離すと、当該鍵レバー４は復帰用ばね２０の力により初期位置に回動復帰し弦３を解放する。
【００１７】
前記天板５は、取付部材２４を介して胴本体２の上方に略水平に配設されることにより、全ての鍵キー４の基端部４ａの上方を覆っている。取付部材２４は、側面視逆Ｌ字形に形成されることにより、垂直部２４Ａと、水平部２４Ｂとからなり、垂直部２４Ａの下端部が前記胴本体２の背面に複数個の止めねじ２５によって固定されている。水平部２４Ｂは、胴本体２の上方に位置して前記天板５が固定され、前端部下面に各鍵キー４を案内し左右方向の移動を規制するガイド部２４Ｃが一体に垂設されている。
【００１８】
前記電磁式ピックアップ装置１１は、前記胴本体２の上面で天板５の下駒６側端部付近に前記弦３の下方に位置するように配設されている。このピックアップ装置１１は、一方の磁極（例えばＮ極）が弦３と対向するように配設されたマグネット２６と、このマグネット２６を収納する絶縁材からなるケース２７と、マグネット２６の周囲に巻回された図示しないピックアップコイル等を備え、弦３の振動を電気信号に変換する。すなわち、演奏時に弦３を弾いて振動させると、当該弦３とマグネット２６との距離が変化するためマグネット２６の磁界が変化し、電磁誘導作用によってピックアップコイルに弦振動に応じた起電力が発生する。そして、この起電力は、増幅器によって増幅され、スピーカから演奏音として発音される。なお、このような電磁式ピックアップ装置１１は、従来周知である（例えば、実開平５−３０８９６号公報、特開平１−２１１７９７号公報等）。
【００１９】
さらに、前記胴本体２の上面で、ピックによって弾弦される部分（弾弦部分）４０、すなわち前記下駒６とピックアップ装置１１との間の部分の前縁部と後縁部には、弓による演奏時に弓毛の接触を避けるためにカット部（凹みまたはえぐり部）４４，４５がそれぞれ形成されている。これらのカット部４４，４５は、適宜の角度をもって斜面に形成されている。
【００２０】
このような構造からなる大正琴１においては、弦係止部材１４を胴本体２に設けた凹部１６の内壁１６ａに配設しているので、弦挿通孔１３より右方側の上面部分４１に右手を置いて演奏するとき、弦係止部材１４が演奏の障害になることがなく、前記上面部分４１全体を右手を置く場所として有効に利用することができる。したがって、右手を置くための広くてゆったりした演奏スペースを確保でき、演奏性を向上させることができる。
【００２１】
また、弦係止部材１４を胴本体２内に配設しているので、演奏者の視界に入ることはない。
【００２２】
図５は本発明の他の実施の形態を示す要部の平面図、図６は一部を破断して示す正面図である。
この実施の形態は、胴本体２の上面で下駒６より右方側に下面に貫通する４つの弦挿通孔（小孔）５０を各弦３毎に形成するとともに、下面側にこれらの弦挿通孔５０に連通する１つの凹部５１を形成している。また、各弦３の下駒６側端に通常ボールエンドと呼ばれるリング５２を取付けて弦係止部材とし、このリング５２を前記弦挿通孔５０の下端側開口部によって係止するように構成したものである。その他の構造は上記した実施の形態と全く同一である。
【００２３】
このような構造においては、各弦３毎に弦挿通孔５０を形成すればよいので、大きな穴を設ける必要がなく、胴本体２の弦挿通孔５０より右方側の上面部分４１をより一層広く利用することができる。また、胴本体２内に弦係止部材を取付ける必要がないので、胴本体２の組立作業も容易である。
【００２４】
なお、上記した実施の形態においては、いずれも電磁式ピックアップ装置１１を備えた電気式大正琴１に適用した例を示したが、本発明はこれに何等限定されるものではなく、胴本体２が空洞で共鳴胴を構成する自然楽器としての大正琴にも適用することが可能である。その場合には、胴本体内に上板と下板を接続する接続部材を組込み、この接続部材に弦挿通孔を設け、弦係止部材を組込むようにすればよい。
【００２５】
【発明の効果】
以上説明したように本発明に係る大正琴は、胴本体内に弦係止部材を配設したので、胴本体２の弦が挿通される弦挿通孔より右方側の上面部分に右手を置いて演奏するとき、弦係止部材が演奏の障害となることがなく、前記上面部分全体を右手を置く場所として有効に利用することができる。したがって、右手を置くための広くてゆったりした演奏スペースを確保でき、演奏性を向上させることができる。
また、楽器自体の上面構造がすっきりして弦係止部材や弦の末端が演奏者の視界に入らず、外観を向上させることができる。
【図面の簡単な説明】
【図１】  本発明に係る大正琴の一実施の形態を示す平面図である。
【図２】  正面図である。
【図３】  拡大右側面図である。
【図４】  要部の拡大断面図である。
【図５】  本発明の他の実施の形態を示す要部の平面図である。
【図６】  一部を破断して示す要部の正面図である。
【符号の説明】
１…電気式大正琴、２…胴本体、３，３A1〜３A4…弦、４…鍵キー、５…天板、６…下駒、７…上駒、９…指板、１０…糸巻装置、１１…電磁式ピックアップ装置、１３…弦挿通孔、１４…弦係止部材、１６…凹部、４０…胴本体の弾弦部分、５０…弦挿通孔、５１…凹部、５２…ボールエンド。
【図１】
0003772680.tif 000002
【図２】
0003772680.tif 000003
【図３】
0003772680.tif 000004
【図４】
0003772680.tif 000005
【図５】
0003772680.tif 000006
【図６】
0003772680.tif 000007